【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】 ネットワーク上の第１の遠隔デバイスと通信するネットワーク・ポート（４４）と、複数フレームの画像データを獲得する画像獲得サブシステム（２、４、６、８、１０、１４）と、獲得された複数フレームの画像データをそれぞれの画像ファイルに格納し、かつ第１と第２の属性データ・セットを第１と第２の属性制御ファイルにそれぞれ格納するメモリ（１６）であって、前記第１と第２の属性データ・セットは第１と第２の通信規格にそれぞれ準拠する、当該メモリ（１６）と、前記第１の遠隔デバイスが従う前記第１と第２の通信規格のうちの１つに対応する前記第１と第２の属性制御ファイルのうちの１つを選択する第１のユーザ操作可能なスイッチ（２２）と、前記画像ファイルからのデータ及び前記第１と第２の属性制御ファイルのうちの選択された１つの属性制御ファイルからの属性データによりデータ・オブジェクトを構築する第１のオブジェクト構築タスク（４０）と、前記第１と第２の属性制御ファイルのうちの選択された１つの属性制御ファイルからの前記属性データを前記第１のオブジェクト構築タスクに送る属性制御エンジン（４１）と、前記第１のオブジェクト構築タスクから前記遠隔デバイス向けの前記ネットワーク・ポートへデータ・オブジェクトを転送するネットワーク・マネージャ（４２）と、を備える撮像システム。
【請求項２】 前記メモリは第３と第４の属性データ・セットを第３と第４の属性制御ファイルにそれぞれ格納し、前記第３と第４の属性データ・セットは前記第１と第２の通信規格にそれぞれ対応しており、前記撮像システムは、さらに、ａ）前記ネットワーク上の第２の遠隔デバイスが従う前記第１と第２の通信規格のうちの１つに対応する前記第３と第４の属性制御ファイルのうちの１つを選択する第２のユーザ操作可能スイッチ（２２）と、ｂ）前記画像ファイルからのデータ及び前記第３と第４の属性制御ファイルのうちの選択された１つの属性制御ファイルからの属性データによりデータ・オブジェクトを構築する第２のオブジェクト構築タスク（４０）と、を含み、前記属性制御エンジンは前記第３と第４の属性制御ファイルのうちの選択された１つの属性制御ファイルから前記属性データを前記第２のオブジェクト構築タスクへ送り、前記ネットワーク・マネージャは前記第２のオブジェクト構築タスクから前記遠隔デバイス向けの前記ネットワーク・ポートへデータ・オブジェクトを転送し、
前記第１と第２のユーザ操作可能なスイッチはユーザ・インターフェイス・スクリーン上に表示された仮想トグル・スイッチを含み、各前記仮想トグル・スイッチは第１と第２の状態を有し、
前記第２と第４の属性制御ファイルは同じであり、
前記第１の属性制御ファイルは第１のＤＩＣＯＭタグ番号セットを含み、前記第２の属性制御ファイルは第２のＤＩＣＯＭタグ番号セットを含み、前記第１と第２のＤＩＣＯＭタグ番号セットは同じではなく、
前記第１と第２のＤＩＣＯＭタグ番号セットのうちの一方は前記第１の遠隔デバイスに準拠し、前記第１と第２のＤＩＣＯＭタグ番号セットのうちの他方は前記第１の遠隔デバイスに準拠しない、請求項１に記載の撮像システム。
【請求項３】 ネットワーク上の遠隔デバイスと通信するネットワーク・ポート（４４）と、複数フレームの画像データをそれぞれの画像ファイルに格納し、かつ第１と第２の属性データ・セットを第１と第２の属性制御ファイルにそれぞれ格納するメモリ（１６）であって、前記第１と第２の属性データ・セットは第１と第２の通信規格にそれぞれ準拠する、当該メモリと、前記遠隔デバイスに従う前記第１と第２の通信規格の１つに対応する前記第１と第２の属性制御ファイルのうちの１つを選択するためのグラフィック・ユーザ・インターフェイス・メニューを含む、オペレータ・インターフェイス（２２，５６）と、前記画像ファイルからのデータ及び前記第１と第２の属性制御ファイルのうちの選択された１つの属性制御ファイルからの属性データによりデータ・オブジェクトを構築するオブジェクト構築タスク（４０）と、前記オブジェクト構築タスクから前記遠隔デバイス向け前記ネットワーク・ポートへデータ・オブジェクトを転送するネットワーク・マネージャ（４２）と、を備えるシステム。
【請求項４】 前記グラフィック・ユーザ・インターフェイス・メニューは、第１と第２の状態を有する仮想のトグル・スイッチを含み、
前記第１の属性制御ファイルは第１のＤＩＣＯＭタグ番号セットを含み、前記第２の属性制御ファイルは第２のＤＩＣＯＭタグ番号セットを含み、前記第１と第２のＤＩＣＯＭタグ番号セットは同じではなく、
前記第１と第２のＤＩＣＯＭタグ番号セットの一方は前記遠隔デバイスに準拠し、前記第１と第２のＤＩＣＯＭタグ番号セットの他方は前記遠隔デバイスに準拠しておらず、
前記第１と第２の属性制御ファイルのうちの選択された一方の属性制御ファイルから前記属性データを前記オブジェクト構築タスクへ送る属性制御エンジン（４１）をさらに含む、請求項３に記載の撮像システム。
【請求項５】 ネットワーク上の複数の遠隔デバイスと通信するネットワーク・ポート（４４）と、前記複数の遠隔デバイスのうちの選択された１つの遠隔デバイスが準拠する第１と第２の通信規格のうちの一方を選択するためのグラフィック・ユーザ・インターフェイス・メニューを含むオペレータ・インターフェイス（２２、５６）と、複数フレームの画像データを獲得する画像獲得サブシステム（２、４、６、８、１０、１４）と、複数フレームの画像データから及び前記第１と第２の通信規格のうちの選択された一方に準拠する属性データからデータ・オブジェクトを構築するオブジェクト構築タスク（４０）と、前記オブジェクト構築タスクから、前記複数の遠隔デバイスのうちの選択された１つの遠隔デバイス向けの前記ネットワーク・ポートへ前記データ・オブジェクトを転送するネットワーク・マネージャ（４２）と、を備える撮像システム。
【請求項６】 前記グラフィック・ユーザ・インターフェイス・メニューは、前記複数の遠隔デバイスに対応する複数の仮想トグル・スイッチを含み、前記仮想トグル・スイッチの各々は第１と第２の状態を有し、
前記グラフィック・ユーザ・インターフェイス・メニューは、各々が前記複数の遠隔デバイスのうちのそれぞれの１つを識別する複数の識別子と、クリックすることによって作動可能である複数の空欄とを含み、各空欄は、識別されたそれぞれの遠隔デバイスと前記撮像システムとの通信を可能にする１つの通信規格を選択するために作動可能であり、
前記第１の通信規格では、構築された各データ・オブジェクトが第１のタグ番号セットを含む必要があり、前記第２の通信規格では構築された各データ・オブジェクトが第２のタグ番号セットを含む必要があり、前記第１と第２のタグ番号セットは同じではなく、
前記グラフィック・ユーザ・インターフェイス・メニューを介して前記第１の通信規格が選択された場合は、前記第１のタグ番号セットを前記オブジェクト構築タスクに伝え、また前記グラフィック・ユーザ・インターフェイス・メニューを介して前記第２の通信規格が選択された場合は、前記第２のタグ番号セットを前記オブジェクト構築タスクに伝える属性制御エンジン（４１）をさらに含む、請求項５に記載の撮像システム。
【請求項７】 第１と第２の通信規格のうちの一方だけに遠隔デバイスが準拠するときにネットワークを介して撮像システムから遠隔デバイスにデータ・オブジェクトを転送する方法であって、撮像データ・ファイルと第１と第２のデータ・オブジェクト構成ファイルを前記撮像システムのコンピュータ・メモリに格納する工程であって、前記第１のデータ・オブジェクト構成ファイルは前記第１の通信規格に準拠の第１のタグ番号セットを含み、前記第２のデータ・オブジェクト構成ファイルは前記第２の通信規格に準拠した第２のタグ番号セットを含む、当該工程と、グラフィック・ユーザ・インターフェイス・メニューを前記撮像システムのスクリーンに出すインストラクションを前記撮像システムに入力する工程と、前記グラフィック・ユーザ・インターフェイス・メニュー上の仮想デバイスを能動化させて、前記遠隔デバイスが従う前記第１と第２の通信規格のうちの一方だけに対応する、前記第１と第２のデータ構成ファイルのうちの一方を選択する工程と、前記撮像データ・ファイルと、前記第１と第２のデータ構成ファイルのうちの選択された前記一方に対応する前記第１と第２のタグ番号セットの一方からの撮像データを含むデータ・オブジェクトを自動構築する工程と、前記撮像システムから前記遠隔デバイスへ前記データ・オブジェクトを送る工程とを含む方法。
【請求項８】 第１と第２の通信規格の一方だけに遠隔デバイスが準拠するとき、ネットワークを介して撮像システムから遠隔デバイスへデータ・オブジェクトを転送する方法であって、撮像データ・ファイル及び第１と第２のデータ・オブジェクト構成ファイルを前記撮像システムのコンピュータ・メモリに格納する工程であって、前記第１のデータ・オブジェクト構成ファイルは前記第１の通信規格に準拠した第１のタグ番号セットを含み、前記第２のデータ・オブジェクト構成ファイルは前記第２の通信規格に準拠した第２のタグ番号セットを含んでいる、当該工程と、前記撮像システム上のスイッチを作動して、前記遠隔デバイスが準拠する前記第１と第２の通信規格のうちの一方だけに対応する前記第１と第２のデータ構成ファイルのうちの一方を選択する工程と、前記第１と第２のデータ構成ファイルのうちの選択された一方に対応する前記第１と第２のタグ番号セットのうちの一方と、前記撮像データ・ファイルからの撮像データとを含むデータ・オブジェクトを自動的に構築する工程と、前記撮像システムから前記遠隔デバイスへ前記データ・オブジェクトを送る工程と、を含む方法。
【請求項９】 ネットワーク上の遠隔デバイスと通信するネットワーク・ポート（４４）と、表示スクリーン（１８）と、撮像データ・ファイル及び第１と第２のデータ・オブジェクト構成ファイルを格納するメモリ（１６）であって、前記第１のデータ・オブジェクト構成ファイルは第１の通信規格に準拠した第１のタグ番号セットを含み、前記第２のデータ・オブジェクト構成ファイルは第２の通信規格に準拠した第２のタグ番号セットを含んでいる、当該メモリと、（ａ）前記表示スクリーンを制御して、前記遠隔デバイスが準拠する第１と第２の通信規格のうちの一方を選択するためのグラフィック・ユーザ・インターフェイス・メニューを表示する工程と、（ｂ）前記第１と第２の通信規格のうちの選択された一方に対応する前記第１と第２のデータ・オブジェクト構成ファイルのうちの一方を読み出す工程と、（ｃ）前記第１と第２のデータ・オブジェクト構成ファイルのうちの読み出された一方に対応する前記第１と第２のタグ番号セットのうちの一方と、前記撮像データ・ファイルからの撮像データとを使って、データ・オブジェクトを構築する工程と、（ｄ）前記遠隔デバイスの宛先アドレスを使って前記ネットワーク・ポートに前記データ・オブジェクトを転送する工程と、を実行するようにプログラムされているコンピュータ（２０）と、を備えるシステム。
【請求項１０】 前記グラフィック・ユーザ・インターフェイス・メニューは、前記第１と第２の通信規格に対応する第１と第２の状態をもつ仮想トグル・スイッチと、前記仮想トグル・スイッチに関連すると共に、前記遠隔デバイスを識別する識別子を含む、請求項９に記載の撮像システム。